(57)【要約】【課題】  本発明は、車両用内装材の加飾表皮をドアトリムの後端末までの設定にすることより、見栄えを向上することができ、また貼付け性及び、品質に優れた車両用内装材を提供する。【解決手段】  本発明の車両用内装材は、車体パネルの車室内側を内装する内装材本体と、前記内装材本体の端部に設けられた外周壁と、前記内装材本体に設けられ、一部が前記内装材本体の端部に隣接する箇所に設けられた環状の溝部と、端末部分が前記環状の溝部に差し込まれ前記内装材本体に貼り合わされる表皮と、を備え、前記溝部は、前記内装材本体の端部に隣接する部分の一方の内壁が前記外周壁により構成され、前記内装材本体の端部に隣接する部分に、成形時に、前記外周壁にできる凹部が発生するのを防止するために前記内装材本体の裏面側に貫通する貫通孔が形成されている。【選択図】          図４
2010006148.tif 000002
【特許請求の範囲】
【請求項１】
車体パネルの車室内側を内装する内装材本体と、
前記内装材本体の端部に設けられた外周壁と、
前記内装材本体に設けられ、一部が前記内装材本体の端部に隣接する箇所に設けられた環状の溝部と、
端末部分が前記環状の溝部に差し込まれ前記内装材本体に貼り合わされる表皮と、を備え、
前記溝部は、
前記内装材本体の端部に隣接する部分の一方の内壁が前記外周壁の裏側の壁部により構成され、
前記内装材本体の端部に隣接する部分に、成形時に前記外周壁にできる凹部が発生するのを防止するために前記内装材本体の裏面側に貫通する貫通孔が形成されていることを特徴とする車両用内装材。
【請求項２】
前記外周壁の裏側の壁部から前記貫通孔を跨いで前記環状の溝部内の内装材本体の裏面に渡って設けられた補強部をさらに備えることを特徴とする請求項１に記載の車両用内装材。
【発明の詳細な説明】
【技術分野】
【０００１】
本発明は、車両用内装材に関する。
【背景技術】
【０００２】
従来より、車体パネルの車室内側は車両用内装材によって内装されている。このような車両用内装材の構成について、ドアトリムを例示して図１を基に説明する。図１は、従来のドアトリムを示す図である。同図（ａ）は従来のドアトリムにおける加飾表皮の端部を拡大して示した図、同図（ｂ）は（ａ）のＡ断面図である。
【０００３】
図１（ａ）に示すように、ドアトリム本体１は、溝部２と加飾表皮３とから構成されている。ドアトリム本体１は、所要形状に成形されたドアトリム本体１の一部にクロス等の加飾表皮３を装着して構成されており、ドアトリム本体１に溝部２を形成し、この溝部２内に加飾表皮３の加飾表皮端末３ａを圧入処理することで、加飾表皮３の周縁端末部における良好な見栄えを確保している。
【０００４】
図１（ｂ）に示すように、ドアトリム本体１は、縁部４より略直角に折り曲げられて形成された端部１ｂと、ドアトリム本体１の端部１ｂに隣接する部分の一方の内壁がドアトリム本体の外周壁１ａの裏側の壁部により構成され、加飾表皮３の端末３ａを木目込むことができる程度（例えば、幅約３mm程度）の溝底２ａが形成されている。そのため、ドアトリム本体１の表面に加飾表皮３を添装する場合は、溝底２ａに接着剤が塗布された後、加飾表皮３の端末３ａを木目込むだけでよい（例えば、特許文献１参照）。
【０００５】
また、上述したドアトリムにおいて、接着剤の塗布むらや、溝部から接着剤がはみ出すことを防ぐために、溝底に所定の間隔を隔てて複数の係止孔が貫設させ、加飾表皮の周縁部には、各係止孔にそれぞれ挿入されて係止される係止手段を配設することで、接着剤を用いることなく加飾表皮を添装する技術が開示されている(例えば、特許文献２参照)。
【０００６】
更に、接着剤を使用しなくても、加飾表皮が剥がれないように、加飾表皮が溝底に挿込まれる部分の端縁に所要の間隔をおいて突片部を配設する一方、溝底には突片部に対応する挿込用孔を配設して、突片部は各挿込用孔を通じて裏側に突出させ、この突出部分を溝底の裏側に折り返してその折返基部を溝底の裏側において挿込用孔を塞ぐ蓋により挟着固定することで、接着剤を用いることなく加飾表皮を添装する技術が開示されている（例えば、特許文献３参照）。
【０００７】
ドアトリム本体１の素材としては、芯材の表面に表皮がラミネートされた積層構造体が一般的であり、芯材としては、発泡樹脂基材などを利用できる。
【０００８】
また、表皮は、塩ビシート等の合成樹脂シート裏面にポリエチレンフォーム等のクッション材が積層された積層シート材料が主に使用され、最近では環境面やリサイクル面を考慮してＴＰＯ（サーモプラスチックオレフィン）シート等のエラストマーシート裏面にポリエチレンフォームを裏打ちした積層シート材料が多用される傾向にある。そして、発泡樹脂基材を芯材として成形する際は、射出成形、射出圧縮成形等により所望の曲面形状に成形される。
【０００９】
【特許文献１】特開２０００−３４３９４７号公報
【特許文献２】特開平７−１４９１４８号公報
【特許文献３】特開２００３−２６７１５２号公報
【発明の開示】
【発明が解決しようとする課題】
【００１０】
しかしながら、上述した従来のドアトリムのように、ドアトリム本体１の溝部２内に加飾表皮３の加飾表皮端末３ａを差し込む場合、ドアトリム本体１の端末付近に溝部２を設けているため、成形時に、樹脂が内部の融解状態にある樹脂の体積収縮に伴う引張り（収縮力）により、ドアトリム本体１の後縦壁部５にヒケ６が発生するという問題点がある。
【００１１】
また、溝部２の溝底２ａがドアトリム本体の外周壁１ａに当接する形となるため、ドアトリム本体１の剛性が上がってしまい、側突性能に悪影響を与えてしまうという問題がある。さらに、上記従来のドアトリムでは、加飾表皮３に、シワや浮き等の発生した場合に修正が困難であるという問題点もある。
【００１２】
そこで、本発明は、上記問題点を解決するために、内装材本体の端末の見栄えを向上させることができると共に、側突性能に悪影響を与えることがなく、さらにシワや浮き等が発生することのない車両用内装材を提供することを目的とする。
【課題を解決するための手段】
【００１３】
上記課題を解決するために、本発明の車両用内装材は、車体パネルの車室内側を内装する内装材本体と、前記内装材本体の端部に設けられた外周壁と、前記内装材本体に設けられ、一部が前記内装材本体の端部に隣接する箇所に設けられた環状の溝部と、端末部分が前記環状の溝部に差し込まれ前記内装材本体に貼り合わされる表皮と、を備え、前記溝部は、前記内装材本体の端部に隣接する部分の一方の内壁が前記外周壁の裏側の壁部により構成され、前記内装材本体の端部に隣接する部分に、成形時に、前記外周壁にできる凹部が発生するのを防止するために前記内装材本体の裏面側に貫通する貫通孔が形成されていることを特徴とする。
【００１４】
この構成によれば、内装材本体の端部に設けられた外周壁にできる凹部が発生するのを防止するために内装材本体の裏面側に貫通する貫通孔を形成することにより、成形時に内装材本体の外周壁に発生するヒケを防止することができ、内装材本体の端部の見栄えを向上することができる。また、内装材本体の裏面側に貫通する貫通孔を形成することにより、溝底がドアトリム本体の側壁に当接しない形となるため、剛性が上がるのを防止でき、側突性能に不用意な反発を無くすことができ、側突性能に悪影響を与えることを防止することができる。
【００１５】
更に、内装材本体の裏側より貫通孔を介して表皮の端末を操作することにより表皮に発生したシワ、浮き等を修正することができるので、貼り込み品質を上げる事ができるので、見栄えを向上することができる。
【００１６】
また、本発明の車両用内装材は、前記外周壁の裏側の壁部から前記貫通孔を跨いで前記環状の溝部内の内装材本体の裏面に渡って設けられた補強部をさらに備えることを特徴とする。
【００１７】
この構成によれば、更に補強部を備えることにより、溝部に貫通孔を設けた場合でも、側突性能を調整することができる。
【００１８】
ここで、車両用内装材としては、ドアトリム、リヤサイドトリム、ラゲージサイドトリム等に適用できる。更に、内装トリム本体としては、発泡樹脂基材、合成樹脂基材等、射出成形が可能な材料全般に適用することができる。
【００１９】
上記発泡樹脂としては、熱可塑性樹脂に発泡剤を添加した素材を使用する。尚、熱可塑性樹脂は、１種類の熱可塑性樹脂でも２種類以上の熱可塑性樹脂からなっても良い。好ましくは、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブダジエン／スチレン（ＡＢＳ）樹脂等が使用できる。また、発泡剤としては、アゾ化合物、スルホヒドラジド化合物、ニトロソ化合物、アジド化合物等の有機発泡剤、あるいは重炭酸ナトリウム等の無機発泡剤の使用が可能である。
【００２０】
また、内装材本体として基材の表面に表皮を積層一体化しても良い。この表皮としては、塩ビシート、ＴＰＯ（サーモプラスチックオレフィン）シート等の樹脂シート、あるいは樹脂シートの裏面にポリエチレンフォーム等のクッション層を裏打ちした積層シート材料を使用することができる。
【００２１】
更に、内装材本体の表面の一部に装着される加飾表皮としては、内装トリム本体との外観上のアクセント効果を考慮した場合、織布、不織布、編布等の布製シートが好ましい。
【発明の効果】
【００２２】
本発明によれば、内装材本体の端末の見栄えを向上させることができると共に、側突性能に悪影響を与えることがなく、さらにシワや浮き等が発生することのない車両用内装材を提供することができる。
【発明を実施するための最良の形態】
【００２３】
以下、本発明に係る車両用内装材の好適の実施形態について、車両用ドアトリムを例示して説明する。
【００２４】
図２は、本発明の実施形態に係るドアトリムの概観を示す図である。
【００２５】
まず、図２に基づいて、車両用ドアトリム１００の構成について説明する。ドアトリム１００は、所望形状に成形され、保形性を有するドアトリム本体１０１と、ドアトリム本体の外周壁１０１ａ側のほぼ中央に、室内側に膨出する乗員が肘を掛けて休めるアームレスト１０２と、ドアトリム本体１０１の下端隅部にドアトリム本体１０１と一体、あるいは別体に装着されたスピーカグリル１０３と、ドアトリム本体１０１の表面の一部（アッパー部分）に装着される加飾表皮１０６とから大略構成されている。
【００２６】
更に詳しくは、ドアトリム本体１０１は、発泡樹脂基材の表面に表皮が積層され、上記発泡樹脂基材は、発泡樹脂を加熱軟化処理した後、所要形状に射出成形すれば良い。
【００２７】
上記発泡樹脂は、汎用の熱可塑性樹脂に発泡剤を添加した構成であり、熱可塑性樹脂としては、ポリエチレン系樹脂、ポリプロピレン系樹脂、ポリスチレン系樹脂、ポリエチレンテレフタレート系樹脂、ポリビニルアルコール系樹脂、ポリアミド系樹脂、ポリアセタール系樹脂、ポリカーボネート系樹脂、塩化ビニル系樹脂、アイオノマー系樹脂、アクリロニトリル／ブダジエン／スチレン（ＡＢＳ）樹脂等が使用でき、発泡剤としては、アゾジカルボンアミド等の有機発泡剤や重炭酸ナトリウム等の無機発泡剤が使用できる。
【００２８】
また、発泡樹脂基材の表面に貼付される表皮は、塩ビシートやＴＰＯシート等の合成樹脂シート、あるいはこれら合成樹脂シート裏面にポリエチレンフォーム等のクッション層を裏打ちした積層シート材料が使用でき、特に、ＴＰＯシートを使用した場合、発泡樹脂基材としてポリオレフィン系樹脂材料を使用すれば、両者の使用材料を統一できるため、リサイクル面で有利である。
【００２９】
加飾表皮１０６は、ドアトリム本体１０１との外観上のアクセント効果を考慮して、ドアトリム本体１０１における表皮と、風合いや外観が異なる織布、不織布、編布等の通気性を備えたシート材料が好ましい。尚、加飾表皮１０６は、織布、不織布、編布等の通気性シート以外にも塩ビシートやＴＰＯシート等の合成樹脂シート、合成樹脂フィルム、発泡体、網状体を使用することができる。また、ＴＰＯシートを使用した場合、オレフィン系樹脂材料で統一できるため、リサイクル面で有利である。車両用ドアトリム本体１０１は、加飾表皮１０６の周縁端末を木目込み処理するために、一部がドアトリム本体１０１の端部に隣接する箇所に設けられた環状の溝部１０４が形成されている。図中一点鎖線で示しているものが環状の溝部１０４である。ここでは、環状の溝部１０４は、ドアトリム本体１０１の端部に隣接する部分の一方の内壁がドアトリム本体１０１の端部に設けられたドアトリム本体の外周壁１０１ａにより構成されている。このため、ドアトリム本体１０１の端部は、溝部１０４を成形するため、ドアトリム本体１０１の外周壁１０１ａの部分にヒケが発生する。この問題を解消するために、本発明では、溝部１０４は、ドアトリム本体１０１の端部に隣接する部分の一方の内壁がドアトリム本体１０１の端部に設けられたドアトリム本体の外周壁１０１ａの裏側の壁部により構成され、ドアトリム本体１０１の端部に隣接する部分に、成形時に、ドアトリム本体１０１の端部に設けられたドアトリム本体の外周壁１０１ａにできるヒケが発生するのを防止するためにドアトリム本体１０１の裏面側に貫通する貫通孔１０５が形成されている。
【００３０】
次に、図３に基づいて、ドアトリム１００における加飾表皮１０６の端部の構成について説明する。図３は、本発明の実施形態に係るドアトリムにおける加飾表皮の端部を拡大して示した図である。図３において、加飾表皮１０６のうちドアトリム本体１０１の後端付近は、溝部１０４と貫通孔１０５の説明のため省略している。図３に示すように、車両用ドアトリム１００は、加飾表皮１０６の周縁端末を木目込み処理するために、一部がドアトリム本体１０１の端部に隣接する箇所に設けられた環状の溝部１０４が形成されている。そして、この溝部１０４内に加飾表皮１０６の端末１０６ａが圧入処理される。また、溝部１０４は、ドアトリム本体１０１の端部に隣接する部分の一方の内壁がドアトリム本体１０１の端部に設けられたドアトリム本体の外周壁１０１ａの裏側の壁部により構成され、ドアトリム本体１０１の端部に隣接する部分に、成形時に、ドアトリム本体１０１の端部に設けられたドアトリム本体の外周壁１０１ａにできるヒケが発生するのを防止するためにドアトリム本体１０１の裏面側に貫通する貫通孔１０５が形成されている。
【００３１】
次に、図４に基づいて、加飾表皮１０６の貫通孔１０５の構成について具体的に説明する。図４は、図２及び図３のＢ断面図である。図４に示すように、ドアトリム本体１０１は、縁部１０８より略直角に折り曲げられて形成され、ドアトリム本体１０１の端部１０１ｂに設けられたドアトリム本体の外周壁１０１ａと、ドアトリム本体１０１の端部１０１ｂに隣接する部分の一方の内壁がドアトリム本体１０１の端部１０１ｂに設けられたドアトリム本体の外周壁１０１ａにより構成され、ドアトリム本体１０１の端部１０１ｂに隣接する部分に、加飾表皮１０６の端末１０６ａを木目込むことができる程度（例えば、幅約３mm程度）の貫通孔１０５が溝部１０４内に形成されている。
【００３２】
このように、ドアトリム本体１０１の端部に設けられた外周壁１０１ａにできるヒケが発生するのを防止するためにドアトリム本体１０１の裏面側に貫通する貫通孔１０５を形成することにより、成形時にドアトリム本体１０１の外周壁１０１ａに発生するヒケを防止することができ、ドアトリム本体１０１の端部１０１ｂの見栄えを向上することができる。また、ドアトリム本体１０１の裏面側に貫通する貫通孔１０５を形成することにより、溝底がドアトリム本体の外周壁１０１ａの裏側の壁部に当接しない形となるため、剛性が上がるのを防止でき、側突性能に不用意な反発を無くすことができ、側突性能に悪影響を与えることを防止することができる。
【００３３】
更に、ドアトリム本体１０１の裏側より貫通孔１０５を介して加飾表皮１０６の端末１０６ａを操作することにより加飾表皮１０６に発生したシワ、浮き等を修正することができるので、貼り込み品質を上げる事ができるので、見栄えを向上することができる。
【００３４】
次に、上述したドアトリムの変形例について説明する。図５は、ドアトリムにおける加飾表皮の端末の断面図であり、図２及び図３のＢ断面図に相当する図である。図５に示すように、縁部１０８より略直角に折り曲げられて形成され、ドアトリム本体１０１の端部１０１ｂに設けられたドアトリム本体の外周壁１０１ａと、ドアトリム本体１０１の端部１０１ｂに隣接する部分の一方の内壁がドアトリム本体１０１の端部１０１ｂに設けられたドアトリム本体の外周壁１０１ａの裏側の壁部により構成され、ドアトリム本体１０１の端部１０１ｂに隣接する部分に、加飾表皮１０６の端末１０６ａを木目込むことができる程度（例えば、幅約３mm程度）の貫通孔１０５が溝部１０４内に形成されている。
【００３５】
さらに、ドアトリム本体１０１の外周壁１０１ａの裏側の壁部から溝部１０４内に形成された貫通孔１０５を跨いで環状の溝部１０４内のドアトリム本体１０１の裏面に渡ってリブ（補強部）１０７が設けられている。このリブ１０７は、ドアトリム本体１０１に一体的に形成されている。リブ１０７は、例えばドアトリム本体１０１の端部に隣接する箇所の全ての領域に渡って形成してもよいし、また、側突性能に合わせて一部に形成するようにしてもよい。
【００３６】
このようにして、ドアトリム本体１０１の外周壁１０１ａから溝部１０４内に形成された貫通孔１０５を跨いで環状の溝部１０４内のドアトリム本体１０１の裏面に渡ってリブ（補強部）１０７を設けることによって、側突性能の調整が可能となる。
【００３７】
以上、本発明の実施形態によれば、ドアトリム１００は、ドアトリム本体１０１と、ドアトリム本体１０１の端部１０１ｂに設けられたドアトリム本体の外周壁１０１ａと、ドアトリム本体１０１に設けられ、一部がドアトリム本体１０１の端部１０１ｂに隣接する箇所に設けられた環状の溝部１０４と、端末部分が環状の溝部１０４に差し込まれドアトリム本体１０１に貼り合わされる表皮と、溝部１０４は、ドアトリム１０１の端部１０１ｂに隣接する部分の一方の内壁がドアトリム本体１０１の端部１０１ｂに設けられたドアトリム本体の外周壁１０１ａにより構成され、ドアトリム本体１０１に隣接する部分に、成形時に、ドアトリム本体１０１の端部１０１ｂに設けられた外周壁１０１ａにできるヒケが発生するのを防止するためにドアトリム本体１０１の裏面側に貫通する貫通孔１０５が形成されている。
【００３８】
このように、内装材本体の端部に設けられた外周壁にできるヒケが発生するのを防止するために内装材本体の裏面側に貫通する貫通孔を形成することにより、成形時に内装材本体の後縦壁部に発生するヒケを防止することができ、内装材本体の端部の見栄えを向上することができる。また、内装材本体の裏面側に貫通する貫通孔を形成することにより、溝底がドアトリム本体の外周壁の裏側の壁部に当接しない形となるため、剛性が上がるのを防止でき、側突性能に不用意な反発を無くすことができ、側突性能に悪影響を与えることを防止することができる。
【００３９】
また、ドアトリム本体１０１の裏側より貫通孔１０５を介して加飾表皮１０６の端末１０６ａを操作することにより加飾表皮１０６に発生したシワ、浮き等を修正することができるので、貼り込み品質を上げる事ができ、見栄えを向上することができる。
【００４０】
また、ドアトリム１００は、ドアトリム本体１０１の端部に設けられた外周壁１０１ａと、外周壁１０１ａから貫通孔１０５を跨いで環状の溝部１０４内のドアトリム本体１０１の裏面に渡って設けられたリブ１０７と、を備えている。この構成によれば、リブ１０７を備えることにより、溝部１０４に貫通孔１０５を設けた場合でも、側突性能を調整することができる。
【００４１】
以上、本発明の好ましい実施形態について詳述したが、本発明は上述した実施形態に限定されるものではなく、特許請求の範囲に記載された本発明の要旨の範囲内において、種々の変形、変更が可能である。上記実施形態ではドアトリムを例にとって説明したが、本発明は、ドアトリム以外にリヤサイドトリム、ラゲージサイドトリム等、加飾表皮を装着し、その周縁端末を圧入処理するタイプの内装部品全般に適用することができる。
【図面の簡単な説明】
【００４２】
【図１】（ａ）は従来のドアトリムにおける加飾表皮の端部を拡大して示した図、（ｂ）は（ａ）のＡ断面図である。
【図２】本発明の実施形態に係るドアトリムの概観を示す図である。
【図３】本発明の実施形態に係るドアトリムにおける加飾表皮の端部を拡大して示した図である。
【図４】図２及び図３のＢ断面図である。
【図５】本発明の他の実施形態に係るドアトリムにおける加飾表皮の端末の断面図であり、図２及び図３のＢ断面図である。
【符号の説明】
【００４３】
１００・・・ドアトリム（車両用内装材）
１０１・・・ドアトリム本体
１０１ａ・・・ドアトリム本体の外周壁
１０１ｂ・・・端部
１０２・・・アームレスト
１０３・・・スピーカグリル
１０４・・・溝部
１０５・・・貫通孔
１０６・・・加飾表皮
１０６ａ・・・加飾表皮端末
１０７・・・リブ（補強部）
１０８・・・縁部
【図１】
2010006148.tif 000003
【図２】
2010006148.tif 000004
【図３】
2010006148.tif 000005
【図４】
2010006148.tif 000006
【図５】
2010006148.tif 000007